(57)【要約】【課題】携帯機器に突出部が当接する部分を、少なくした充電台を提供することを提供することになる。【解決手段】装着部２に携帯機器２０が装着されない状態では、傾動体４の突出部７が装着部２に突出されて、傾動体４がスプリング線３の端子部３Ａをケース１内の引き込み位置とし、前記装着部２に携帯機器２０が装着されて、傾動体４の突出部７が押されると、傾動体４が傾動して、スプリング線３の端子部３Ａが携帯機器２０の電源端子２１に接触するようにケース１の装着部２に突出されるようにしてなり、前記ケース１の装着部２の底部に、突出部７とスプリング線３の端子部３Ａを突出させており、前記ケース１の装着部２が、携帯機器２０を横長の姿勢で携帯機器２０の一面を装着部２の底部にセットする形状であって、突出部７と端子部３Ａが装着部２の底面に突出すると共に、突出部７を装着部２の一端部に配設している。【選択図】図１１
2010246288.tif 000002
【特許請求の範囲】
【請求項１】
充電できる電池を内蔵する携帯機器(20)を嵌合状態で脱着できるように装着する装着部(2)を有するケース(1)と、
このケース(1)内に設けられて、装着部(2)にセットされる携帯機器(20)の電源端子(21)に接触される端子部(3A)を有する一対のスプリング線(3)と、
一方のスプリング線(3)に連結されると共に、一端部には装着部(2)に装着される携帯機器(20)に押される突出部(7)を有し、その突出部(7)が押されて各々のスプリング線(3)の端子部(3A)を装着部(2)に突出させるようにケース(1)内に傾動自在に配設している一方の傾動体(4)とを備え、
他方のスプリング線(3)に連結されると共に、他方のスプリング線(3)の端子部(3A)を装着部(2)に突出させるようにケース(1)内に傾動自在に配設している他方の傾動体(4)とを備え、
一方の傾動体(4)は、一端に突出部(7)を設けて他端を連結端(8)として、他方の傾動体(4)は、一端と他端を備えて他端を連結端(8)として、この連結端(8)を互いに傾動自在であって長手方向に移動自在に連結して傾動体(4)を直線状に配列しており、傾動体(4)は中間を支点として傾動自在にケース(1)に連結されて、支点と連結端(8)との間にスプリング線(3)の端子部(3A)を配設しており、
前記装着部(2)に携帯機器(20)が装着されない状態では、傾動体(4)の突出部(7)が装着部(2)に突出されて、傾動体(4)がスプリング線(3)の端子部(3A)をケース(1)内の引き込み位置とし、
前記装着部(2)に携帯機器(20)が装着されて、傾動体(4)の突出部(7)が押されると、傾動体(4)が傾動して、スプリング線(3)の端子部(3A)が携帯機器(20)の電源端子(21)に接触するようにケース(1)の装着部(2)に突出されるようにしてなり、
前記ケース(1)の装着部(2)の底部に、突出部(7)とスプリング線(3)の端子部(3A)を突出させており、
前記ケース(1)の装着部(2)が、携帯機器(20)を横長の姿勢で携帯機器(20)の一面を装着部(2)の底部にセットする形状であって、突出部(7)と端子部(3A)が装着部(2)の底面に突出すると共に、突出部(7)を装着部(2)の一端部に配設している
充電台。
【請求項２】
前記ケース(1)の装着部(2)の両側端部の内面に、携帯機器(20)を係止する係止フック(12)を設けている請求項１に記載される充電台。
【請求項３】
前記傾動体(4)が、一方の連結端(8)に連結凸部(10)を設けており、この連結凸部(10)を案内するスリット(11)を、他方の連結端(8)に設けており、連結凸部(10)をスリット(11)に入れて、連結端(8)を長手方向に移動自在に連結している請求項１に記載される充電台。
【発明の詳細な説明】
【技術分野】
【０００１】
本発明は、主として携帯電話などの携帯機器をセットして充電する充電台に関する。
【背景技術】
【０００２】
充電台は、装着される携帯機器の電源端子に接触される正負の出力端子部を備えている。正負の出力端子部に金属が接触してショートすると、大きなショート電流が流れる。また、正負の出力端子部の電圧が高い場合には、濡れた手で接触すると感電する可能性もある。また、電圧が低い場合でも、長時間接触すると低温やけどを被るおそれがある。この弊害を解消するために、携帯機器を装着しない状態では、出力端子部をケース内に収納する充電台が開発されている（特許文献１参照）。
また、特許文献２に開示されるように、本出願人は、以下のような充電台を、提案している。（特許文献２における符号を利用すると）充電台は、充電できる電池を内蔵する携帯機器２０を嵌合状態で脱着できるように装着する装着部２を有するケース１と、このケース１内に設けられて、装着部２にセットされる携帯機器２０の電源端子２１に接触される端子部３Ａを有する一対のスプリング線３と、各々のスプリング線３に連結されると共に、一端部には装着部２に装着される携帯機器２０に押される突出部７を有し、その突出部７が押されて各々のスプリング線３の端子部３Ａを装着部２に突出させるようにケース１内に傾動自在に配設している一対の傾動体４とを備える。この傾動体４は、一端に突出部７を設けて他端を連結端８として、この連結端８を互いに傾動自在であって長手方向に移動自在に連結して一対の傾動体４を直線状に配列している。さらに、各々の傾動体４は、同一のてこ比となるように中間を支点として傾動自在にケース１に連結されて、支点と連結端８との間にスプリング線３の端子部３Ａを配設している。この充電台は、装着部２に携帯機器２０が装着されない状態では、傾動体４の突出部７が装着部２に突出して、傾動体４がスプリング線３の端子部３Ａをケース１内の引き込み位置とし、装着部２に携帯機器２０が装着されて、傾動体４の突出部７が押されると、傾動体４が傾動して、スプリング線３の端子部３Ａが携帯機器２０の電源端子２１に接触するようにケース１の装着部２に突出する。
【先行技術文献】
【特許文献】
【０００３】
【特許文献１】特開２００３−９４０９号公報
【０００４】
【特許文献２】特願２００７−２６６８１７号公報
【発明の概要】
【発明が解決しようとする課題】
【０００５】
この公報に記載される充電台を図１ないし図５に示す。この充電台は、携帯機器４０を嵌合して装着する凹状の装着部３２を有するケース３１と、装着部３２に携帯機器４０が装着されたことを検知する装着検知部３０と、携帯機器４０が装着部３２に装着されたとき、携帯機器４０に設けられた電源端子４１と接触し、携帯機器４０に内蔵される二次電池に充電電圧を印加するための一対の出力端子部３３Ａを備える。出力端子部３３Ａは、ケース３１内に配設されて、ケース３１に設けられた端子窓３５から装着部３２に突出するように設けられている。装着検知部３０は、ケース３１内に軸支され、一端の突出部３７が装着部３２の底面に設けられた貫通孔３６を貫通して突出する傾動体３４と、傾動体３４の突出部３７を突出方向に付勢するスプリング線３３とを備える。携帯機器４０が装着され、傾動体３４の一端がスプリング線３３の付勢力に抗して押し下げられたとき、傾動体３４の回転に連動して出力端子部３３Ａを端子窓３５から装着部３２に押し出して、携帯機器４０の電源端子４１と接触させる。
【０００６】
さらに、この充電台は、装着検知部３０の傾動体３４を、左右に分割して独立に回転支持している。この左右の傾動体３４が押されることにより出力端子部３３Ａが端子窓３５から装着部３２に押し出されるようにしている。この構造の充電台は、左右に分割された個々の傾動体３４を独立して傾動させるので、左右両側の傾動体３４をバランスして均等な力で押し下げたときのみ、２つの出力端子部３３Ａが安定して携帯機器４０の電源端子４１に接触する。左右両側の傾動体がアンバランスに押し下げられると、両方の出力端子部を安定して携帯機器の電源端子に接触できない欠点がある。また、この充電台は、長期間にわたって安定して出力端子部３３Ａを携帯機器４０の電源端子４１に接触して確実に充電するのが難しくなる欠点がある。それは、出力端子部３３Ａと電源端子４１の表面や汚れ等によって確実に接触できなくなるからである。さらに、以上の構造の充電台は、正負の出力端子部３３Ａを突出させるメカニズムが複雑になる欠点もある。
【０００７】
さらに、従来の他の充電台を図６と図７に示す。この充電台は、携帯機器６０を嵌合して装着する凹状の装着部５２を有するケース５１と、装着部５２に携帯機器６０が装着されたことを検知してケース５１内で傾動する傾動体５４と、この傾動体５４の傾動に連動して、一対の出力端子部５３Ａを装着部５２に向かって突出させるように回動する一対の回動アーム５８と、この回動アーム５８に連結されて、装着部５２に装着された携帯機器６０の電源端子６１に接触する一対の出力端子部５３Ａとを備える。傾動体５４は、ケース５１内に軸支されており、一端に設けた一対の突出部５７を、装着部５２の底面に設けた貫通孔５６を貫通して突出させている。この傾動体５４は、突出部５７を貫通孔５６から突出させる方向に弾性体（図示せず）で付勢されており、図７に示すように、携帯機器６０が装着部５２に装着されて突出部５７が押し下げられる（図の矢印Ａ）と、両側の押圧部５４Ａで回動アーム５８を押圧して（図の矢印Ｂ）、左右の回動アーム５８を回動させる。回動アーム５８は、水平部５８Ａと垂直部５８Ｂとを連結して全体の形状をＬ字状としており、中間の軸部５８Ｃを回動軸として、垂直面内で回動できるようにケース５１内に配設している。この回動アーム５８は、図７に示すように、水平部５８Ａの先端部が、傾動体５４の押圧部５４Ａで押し下げられる（図の矢印Ｂ）と、垂直部５８Ｂの上端部が装着部５２に向かって傾動し、出力端子部５３Ａを端子窓５５から突出させる（矢印Ｃ）。すなわち、傾動体５４の傾動に連動して回動アーム５８が回動し、傾動出力端子部５３Ａを端子窓５５から装着部５２に突出させて、携帯機器６０の電源端子６１に接触させる。図の回動アーム５８は、垂直部５８Ｂを、図において外側方向に付勢するスプリング線５３を連結しており、このスプリング線５３の先端を出力端子部５３Ａとしている。出力端子部５３Ａは、回動アーム５８に連結されて、ケース５１内に配設されており、ケース５１に設けられた端子窓５５から装着部５２に突出するように配設されている。一対の出力端子部５３Ａは、携帯機器６０が装着部５２に装着されると、携帯機器６０に設けられた電源端子６１と接触し、携帯機器６０に内蔵される二次電池に充電電圧を印加する。
【０００８】
この構造の充電台は、傾動体５４が、左右の突出部５７を一体的に連結している。このため、左右の突出部５７がアンバランスに押圧されても、傾動体５４を所定の姿勢で傾動させて、左右の回動アーム５８をバランス良く押圧し、出力端子部５３Ａを同時に端子窓５５から装着部５２に押し出しできる。このため、２つの出力端子部５３Ａを安定して携帯機器６０の電源端子６１に接触できる。ただ、この充電台は、装着部５２にセットされる携帯機器６０で突出部５７を押し下げて傾動体５４を傾動させると共に、傾動する傾動体５４が左右の回動アーム５８を押圧して回動させ、さらに、回動する回動アーム５８が一対の出力端子部５３Ａを装着部５２に突出させるので、正負の出力端子部５３Ａを突出させるためのメカニズムが複雑になる。とくに、傾動体５４に連動する一対の回動アーム５８を必要とするので、部品点数が多くなると共に、これらの組み立てに手間がかかり、製造コストが高くなる問題点がある。
【０００９】
さらに、図１ないし図７に示す従来の充電台は、長期間にわたって安定して出力端子部３３Ａ、５３Ａを携帯機器４０、６０の電源端子４１、６１に接触して確実に充電するのが難しくなる欠点がある。それは、出力端子部３３Ａ、５３Ａと電源端子４１、６１とを、表面の汚れ等によって確実に接触できなくなるからである。
【００１０】
また、特許文献２の構造は、以下の問題点がある。
一対の傾動体４は、各々、装着部２に装着される携帯機器２０に押される突出部７を備えている。
電源端子と接触する携帯機器２０の側面においては、端子部３Ａと接触する携帯機器２０の電源端子２１以外にも、種々の構造体（例えば、ヘッドホンのコネクタ及びこれを覆う蓋体、メモリーカード挿入口及びこれを覆う蓋体）が位置しており、このような構造体に、突出部が当接して押されるとき、安定して当接することができなかったり、突出部によりこのような構造体が損傷を受けるときがある。例えば、上述のように樹脂製蓋体に突出部が当接する場合は、蓋体を損傷する場合がある。
本発明では、突出部がひとつであることより、携帯機器の側面の構造体がない部分に突出部が当接するだけなので、種々の構造体を、携帯機器の側面に配置することができる。
本発明は、以上の欠点を解決することを目的に開発されたものである。本発明の目的は、全体の構造を簡単にして製造コストを低減しながら、長期間にわたって携帯機器の電池を安定して充電できる充電台を提供することにある。また、本発明の目的は、携帯機器に突出部が当接する部分を、少なくした充電台を提供することを提供することになる。
【課題を解決するための手段】
【００１１】
本発明の充電台は、前述の目的を達成するために以下の構成を備える。
充電台は、充電できる電池を内蔵する携帯機器(20)を嵌合状態で脱着できるように装着する装着部２を有するケース１と、このケース１内に設けられて、装着部２にセットされる携帯機器２０の電源端子２１に接触される端子部３Ａを有する一対のスプリング線３と、一方のスプリング線(3)に連結されると共に、一端部には装着部(2)に装着される携帯機器(20)に押される突出部７を有し、その突出部(7)が押されて各々のスプリング線３の端子部３Ａを装着部２に突出させるようにケース１内に傾動自在に配設している一方の傾動体４とを備え、他方のスプリング線３に連結されると共に、他方のスプリング線３の端子部３Ａを装着部２に突出させるようにケース１内に傾動自在に配設している他方の傾動体４とを備え、一方の傾動体４は、一端に突出部７を設けて他端を連結端８として、他方の傾動体４は、一端と他端を備えて他端を連結端８として、この連結端８を互いに傾動自在であって長手方向に移動自在に連結して傾動体４を直線状に配列しており、傾動体４は中間を支点として傾動自在にケース１に連結されて、支点と連結端８との間にスプリング線３の端子部３Ａを配設しており、前記装着部２に携帯機器２０が装着されない状態では、傾動体４の突出部７が装着部２に突出されて、傾動体４がスプリング線３の端子部３Ａをケース１内の引き込み位置とし、前記装着部２に携帯機器２０が装着されて、傾動体４の突出部７が押されると、傾動体４が傾動して、スプリング線３の端子部３Ａが携帯機器２０の電源端子２１に接触するようにケース１の装着部２に突出されるようにしてなり、前記ケース１の装着部２の底部に、突出部７とスプリング線３の端子部３Ａを突出させており、前記ケース１の装着部２が、携帯機器２０を横長の姿勢で携帯機器２０の一面を装着部２の底部にセットする形状であって、突出部７と端子部３Ａが装着部２の底面に突出すると共に、突出部７を装着部２の一端部に配設している。
【００１２】
本発明の充電台は、ケース１の装着部２の両側端部の内面に、携帯機器２０を係止する係止フック１２を設けている。
【００１３】
本発明の充電台は、傾動体４が、一方の連結端８に連結凸部１０を設けており、この連結凸部１０を案内するスリット１１を、他方の連結端８に設けており、連結凸部１０をスリット１１に入れて、連結端８を長手方向に移動自在に連結している。
【発明の効果】
【００１４】
本発明の充電台は、使用しない状態における端子部のショートを防止し、また感電や低温やけどを有効に防止しながら、全体の構造を簡単にして製造コストを低減し、さらに、長期間にわたって携帯機器の電池を安定して確実に充電できる特徴がある。
それは、本発明の充電台が、独特のメカニズムで端子部を携帯機器の電源端子に接触させるからである。とくに、スプリング線の端子部を装着部に突出させる傾動体を独特の機構として優れた特徴を実現する。この傾動体は、一端に突出部を設けて他端を連結端として、この連結端を互いに傾動自在であって長手方向に移動自在に連結して傾動体を直線状に配列している。さらに、傾動体は、中間を支点として傾動自在にケースに連結されて、支点と連結端との間にスプリング線の端子部を配設している。この傾動体は、装着部に携帯機器を装着しない状態では、突出部を装着部に突出して、スプリング線の端子部をケース内の引き込み位置とする。装着部に携帯機器が装着されて、突出部が押されると、傾動体が傾動して、スプリング線の端子部を携帯機器の電源端子に接触するようにケースの装着部に突出させる。
この機構の傾動体で突出される端子部は、図１１と図１２に示すように、傾動体４が傾動して携帯機器２０の電源端子２１に向かって突出されるとき、図１４の矢印Ａで示すように、互いに間隔が変化するように移動する。互いに相対間隔を変化させながら電源端子２１に押しつけられる端子部３Ａは、引き裂き力が作用して端子部３Ａと電源端子２１の接触部分をセルフクリーニングする。すなわち、電源端子の表面を擦るように移動してセルフクリーニングする。したがって、端子部が電源端子に押しつけられる毎に、両者の接触部分が綺麗にセルフクリーニングされて、接触不良が解消される。また、傾動体の連結部を互いに連結していることから、一対の端子部は常にバランスよく携帯機器の電源端子に押圧される。それは、傾動体が、連結している連結部によって、互いにバランスよく連動して、一対の端子部を電源端子に押圧するからである。このため、本発明の充電台は、長期間にわたって端子部を電源端子に安定に接触させて、携帯機器に内蔵する電池を確実に充電する。
【００１５】
さらに、本発明の充電台は、傾動体を直線状に配列する簡単な機構とすることから、装着部にセットされる携帯機器でもって、両方の傾動体を長期間にわたって安定して確実に傾動できる特徴もある。さらにまた、傾動体が直線状に配列されることから、狭い収納スペースに傾動体を配置できる特徴も実現する。
【００１６】
また、本発明の充電台は、ケースの装着部の底部に、突出部とスプリング線の端子部を突出させている。この充電台は、携帯機器の自重が電源端子を端子部に押圧することから、より安定して電源端子に端子部を押圧して、確実に充電できる特徴がある。
【００１７】
さらにまた本発明の充電台は、ケースの装着部を、携帯機器を横長の姿勢でセットする形状として、突出部と端子部が装着部の底面に突出する配置として、突出部を装着部の一端部に配設している。この充電台は、傾動体を長くできることから、突出部を押し込んで端子部を確実に電源端子に押圧できる。
さらにまた本発明の充電台は、ケースの装着部を、携帯機器を横長の姿勢でセットする形状として、突出部と端子部が装着部の底面に突出する配置として、突出部を装着部の一端部に配設している。この充電台は、傾動体を長くできることから、突出部を押し込んで端子部を確実に電源端子に押圧できる。
また、携帯機器２０の一面においては、電源端子と接触する携帯機器の接続端子以外にも、種々の構造体（例えば、ヘッドホンのコネクタ及びこれを覆う蓋体、メモリーカード挿入口及びこれを覆う蓋体）が位置しており、本発明では、突出部がひとつであることより、携帯機器の一面の構造体がない部分に突出部が当接するだけなので、種々の構造体を、携帯機器の一面に配置することができる。そして、突出部がひとつであるものの、一方の傾動体と他方の傾動体が連結していることにより、両傾動体が傾動して出力端子を突出させることができ、上述のような効果を備える。
【００１８】
また、本発明の充電台は、ケースの装着部の両側端部の内面に、携帯機器を係止する係止フックを設けているので、装着部に携帯機器を確実にセットする状態に保持できる。このため、突出部が携帯機器に確実に押し込まれた状態に保持されて、端子部を電源端子に安定して押圧して、充電中における端子部と電源端子との接触不良を防止できる。
【００１９】
さらに本発明の充電台は、傾動体の一方の連結端に連結凸部を設けて、この連結凸部を案内するスリットを他方の連結端に設け、連結凸部をスリットに入れて、連結端を長手方向に移動自在に連結している。この構造は、簡単な構造で一対の傾動体を連結しながら、長手方向にスムーズに移動できる。
【図面の簡単な説明】
【００２０】
【図１】従来の充電台の斜視図である。
【図２】図１に示す充電台の装着検知部の斜視図である。
【図３】図１に示す充電台の垂直縦断面図である。
【図４】図３に示す充電台に携帯機器を装着する状態を示す断面図である。
【図５】図３に示す充電台に携帯機器を装着した状態を示す断面図である。
【図６】従来の他の充電台の装着部に携帯機器を装着する状態を示す断面図である。
【図７】図６に示す充電台の装着部に携帯機器を装着した状態を示す断面図である。
【図８】本発明の一実施例にかかる充電台の斜視図である。
【図９】図８に示す充電台の垂直横断面図である。
【図１０】図８に示す充電台の内部構造を示す斜視図である。
【図１１】図９に示す充電台のＡ−Ａ線断図に相当する図であって、装着部に携帯機器を装着する状態を示す断面図である。
【図１２】図９に示す充電台のＡ−Ａ線断図に相当する図であって、装着部に携帯機器を装着した状態を示す断面図である。
【図１３】図８に示す充電台の内部構造を示す断面斜視図である。
【図１４】一対の傾動体の動作を示す正面図である。
【発明を実施するための形態】
【００２１】
以下、本発明の実施例を図面に基づいて説明する。ただし、以下に示す実施例は、本発明の技術思想を具体化するための充電台を例示するものであって、本発明は充電台を以下のものに特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図８ないし図１３に示す充電台は、充電できる電池を内蔵する携帯機器２０を脱着できるように装着して、内蔵している電池を充電する。携帯機器２０は携帯電話である。ただ、本発明は、内蔵する電池を充電する携帯機器を特定するものでなく、たとえば、ＭＤやＣＤの再生または録音再生機、デジタル携帯機器、ゲーム機等二次電池を内蔵している全ての携帯機器とすることができる。携帯機器２０は、概略、厚みの小さい直方体形状であって、側面（図においては、下側であって、充電台の装着部２０の底部側）に、構造体２３を備えている。このような構造体は、本実施例においては、例えば、ヘッドホンのコネクタ口を覆う樹脂製蓋体、又は、メモリーカード挿入口を覆う樹脂製蓋体である。
【００２４】
充電台は、充電できる電池を内蔵する携帯機器２０を嵌合状態で脱着できるように装着する装着部２を有するケース１と、このケース１内に設けられて、装着部２にセットされる携帯機器２０の電源端子２１に接触される端子部３Ａを有する一対のスプリング線３と、一方のスプリング線３に連結されると共に、一端部には装着部２に装着される携帯機器２０に押される突出部７を有し、その突出部７が押されて各々のスプリング線３の端子部３Ａを装着部２に突出させるようにケース１内に傾動自在に配設している一方の傾動体４とを備える。
また、他方のスプリング線３に連結されると共に、他方のスプリング線３の端子部３Ａを装着部２に突出させるようにケース１内に傾動自在に配設している他方の傾動体４とを備える。
【００２５】
さらに、充電台は、ケース１に充電回路（図示せず）を内蔵している。ただし、本発明の充電台は、ケースに必ずしも充電回路を設ける必要ない。外部に設けている充電回路にリード線を介して接続することもできるからである。充電回路を内蔵しない充電台は、外部の充電回路に接続されて、携帯機器の電池を充電する。
【００２６】
図８と図９に示す充電台は、ケース１の上面に装着部２を設けている。装着部２は、ケース１の上面に設けた上方を開口している凹部である。携帯機器２０は、凹部の装着部２に嵌着、装着されて定位置にセットされる。図の装着部２は、携帯電話２０を横長の姿勢で携帯機器２０の一面である側面を装着部２の底部にセットする形状としている。さらに、図９に示す充電台は、携帯機器２０を後方に傾斜する姿勢でセットできるように、装着部２の背面２Ａを後方に向かって下り勾配に傾斜させると共に、底面２Ｂを後方に向かって下り勾配に傾斜させている。この充電台は、携帯機器２０を傾斜姿勢でセットする状態でケース１を倒れないように保持するために、ケース１の底面に支持プレート１８を固定している。
【００２７】
支持プレート１８は、ケース１の底面に固定される水平プレート部１８Ａと、ケース１の前面に傾斜姿勢で配置される傾斜プレート部１８Ｂとからなる。水平プレート部１８Ａは、ケース１の後端から突出して後方に延長しており、携帯機器２０が傾斜姿勢で装着部２にセットされたケース１が後方に転倒するのを防止している。傾斜プレート部１８Ｂは、装着部２の背面２Ａと平行な姿勢で、ケース１の前面に沿って配設している。図８の傾斜プレート部１８Ｂは、上端部の中央部に開口部１９を設けており、装着部２にセットされる携帯機器２０のモニタ画面を、この開口部１９から前面に表出、あるいは表示できるようにしている。さらに、図８と図９に示すように、傾斜プレート部１８Ｂは、開口部１９の開口縁部１９ａを、装着部２の底面２Ｂと側面２Ｃの前方の開口端縁よりも内側に突出させており、この開口縁部１９ａでもって、装着部２に傾斜姿勢でセットされる携帯機器２０の前面の周縁部を係止して保持できるようにしている。この支持プレート１８は、傾斜プレート部１８Ｂを装着部２の一部に併用して携帯機器２０をセットしながら、水平プレート部１８Ａでケース１を安定して支持できる。以上の装着部２は、携帯機器２０を凹部に嵌合して後方に傾斜する姿勢でセットする。この充電台は、装着部２に携帯機器２０である携帯電話をセットして、モニタにテレビ画像を表示するのに適している。ただ、本発明の充電台は、必ずしもケースの装着部を、携帯機器を後方に傾斜する姿勢でセットできる構造とする必要はない。充電台は、ケースの装着部を、垂直姿勢で携帯機器をセットする構造とすることもできる。
【００２８】
携帯機器２０は、自重で凹部の装着部２に装着される。さらに、図のケース１は、装着部２にセットした携帯機器２０を抜けないように引っかけて係止する一対の係止フック１２を設けている。係止フック１２は、上端に引掛部１２Ａを有し、下端を傾動できるようにケース１に連結している。この係止フック１２は、コイルバネからなる押出バネ１３でもって、上端の引掛部１２Ａを装着部２に弾性的に突出させている。図のケース１は、一対の係止フック１２を、装着部２の両側端部に設けて、係止フック１２の引掛部１２Ａを装着部２から弾性的に突出するようにしている。係止フック１２は、装着部２にセットされる携帯機器２０の両端面に設けている係止凹部２２に弾性的に案内されて、携帯機器２０を装着部２の定位置にセットして保持する。
【００２９】
ケース１は、下方を開口している上ケース１Ａと、この上ケース１Ａの下方開口部を閉塞している下ケース１Ｂとからなる。上ケース１Ａと下ケース１Ｂは、プラスチックを成形して製作される。上ケース１Ａの上面に凹部を設けて装着部２としている。上ケース１Ａは、装着部２となる凹部の底面２Ｂに、ケース１に内蔵しているスプリング線３の端子部３Ａを外部に突出させる端子窓５と、傾動体４の突出部７を装着部２に突出させる貫通孔６を開口している。端子窓５はふたつ、貫通孔６はひとつ設けられる。ふたつの端子窓５は、正負の端子部３Ａを装着部２に突出させる。また、ひとつの貫通孔６は、一方の傾動体４の一端に設けている突出部７を装着部２に突出させる。図８、図１１及び図１２の充電台は、ケース１に設けている装着部２の底面２Ｂに端子窓５と貫通孔６を設けて、スプリング線３の端子部３Ａと、傾動体４の突出部７を底面２Ｂから突出させている。さらに、図の充電台は、貫通孔６を装着部２の両端部に開口して、傾動体４の突出部７を装着部２の一両端部に配設している。端子窓５は、装着部２の中央部分に配設している。          
【００３０】
さらに、ケース１は、図９と図１３に示すように、内蔵している傾動体４を傾動できるように連結するために、傾動体４の傾動軸９を回転できるように支持する支持部１６を一体的に成形して設けている。支持部１６は、上ケース１Ａの内面に突出して設けられた支持リブ１６Ａである。支持リブ１６Ａは、その先端に、傾動体４の傾動軸９を回転できるように案内する半円形の凹部を設けている。
【００３１】
傾動体４は、図９の断面図と図１０の斜視図に示すように、その両側に傾動軸９を設けている。両側の傾動軸９は直線上に配置されている。両側の傾動軸９を支持するために、支持リブ１６Ａは傾動体４の両側に配設されて、傾動体４の両側に設けている傾動軸９を回転できるように支持する。支持リブ１６Ａの凹部に案内された傾動軸９は、下ケース１Ｂで抜けないように支持される。この下ケース１Ｂは、支持リブ１６Ａの先端の凹部に案内される傾動軸９の下方に位置する抜け留めリブ１７を一体的に成形している。この構造のケース１は、傾動体４の傾動軸９を支持リブ１６Ａの凹部に案内する状態で、上ケース１Ａの開口部に下ケース１Ｂを連結して、傾動体４を回転できるようにケース１に連結できる。
【００３２】
傾動体４は、直線状に連結されて、ケース１に収納される。この傾動体４は、一端に突出部７を設けて他端を連結端８としている。連結端８は、互いに傾動自在であって長手方向に移動自在に連結される。図１０ないし図１４の傾動体４は、一方の連結端８に連結凸部１０を設けて、他方の連結端８には連結凸部１０を案内するスリット１１を他方に設けている。連結凸部１０がスリット１１に案内されて、一対の連結端８は、連結端８を長手方向に移動自在に連結している。
【００３３】
さらに、各々の傾動体４は、同一のてこ比となるように中間の傾動軸９を支点として傾動自在にケース１に連結されて、支点である傾動軸９と連結端８との間にスプリング線３の端子部３Ａを配設している。図１０ないし図１４の傾動体４は、ほぼ中央に円柱状の傾動軸９を設けている。傾動軸９は、図９に示すように、傾動体４の両側に突出して設けられる。傾動体４は、垂直面内、正確には垂直面内からわずかに傾斜する面内で傾動するので、傾動軸９も水平面内からわずかに傾斜する方向に突出している。この傾動体４は、傾動軸９を支点として傾動する。傾動体４は、図１４に示すように、連結端８を連結して互いに連動して傾動する。このとき、傾動体４の連結端８は長手方向に相対移動する。したがって、図の傾動体４は、連結端８に設けているスリット１１を長手方向に伸びるようにして、スリット１１内に連結凸部１０を移動させる。連結凸部１０の外径はスリット１１の幅にほぼ等しく、正確にはスリット１１の幅よりもわずかに小さく、連結凸部１０はスリット１１の内部をスムーズに移動する。
このような構造により、一方の傾動体４は、一端に突出部７を設けて他端を連結端８として、他方の傾動体４は、一端と他端を備えて他端を連結端８として、この連結端８を互いに傾動自在であって長手方向に移動自在に連結して一対の傾動体４を直線状に配列しており、傾動体４は中間を支点として傾動自在にケース１に連結されて、支点と連結端８との間にスプリング線３の端子部３Ａを配設していることになる。
【００３４】
傾動体４は、装着部２に携帯機器２０が装着されない状態では、突出部７を装着部２に突出させる。図１０ないし図１３に示すように、傾動体４は、傾動スプリング１４で突出部７を装着部２に突出させる。傾動スプリング１４はコイルバネで、コイル状に巻いたコイル部１４Ｂを傾動軸９に挿通して、一方の端部をケース１に、他方の端部を傾動体４に連結して、突出部７を装着部２に弾性的に突出させている。
【００３５】
さらに、傾動体４は、突出部７が携帯機器２０に押し込まれる状態で、スプリング線３の端子部３Ａを弾性的に装着部２に突出させる。突出する端子部３Ａは、携帯機器２０の電源端子２１に弾性的に押圧されて、電気接続される。スプリング線３は、導電性があって弾性のある金属線からなるコイルスプリングで、一端を傾動体４に連結して、他端を山形に折曲加工して端子部４Ａとしている。スプリング線３は、螺旋状に巻いたコイル部３Ｂを傾動体４の傾動軸９に挿入して、傾動体４に連結している。図１０の傾動体４は、両側に傾動軸９を突出させているが、一方の傾動軸９には傾動スプリング１４のコイル部１４Ｂを、他方の傾動軸９にはスプリング線３のコイル部３Ｂを挿入して、傾動スプリング１４とスプリング線３を連結している。さらに、スプリング線３は、山形に折曲加工している端子部３Ａとコイル部３Ｂとの中間部３Ｃを傾動体４に設けた上端を閉塞するガイド溝１５に案内している。スプリング線３は、端子部３Ａを端子窓５から突出するように、傾動体４に連結している。ガイド溝１５は、ここにスプリング線３の中間部３Ｃを案内して、端子部３Ａの突出量を特定する。スプリング線３の中間部３Ｃは、ガイド溝１５に沿って下方には移動できる。したがって、端子部３Ａが携帯機器２０の電源端子２１に押圧されて押し下げられるとき、スプリング線３の中間部３Ｃはガイド溝１５に沿って降下する。この構造は、端子部３Ａを確実に電源端子２１に押圧できる。
【００３６】
一対の端子部３Ａは、装着部２に突出するときに、互いに離れる方向に相対運動して、携帯機器２０の電源端子２１に押圧されて、接触部をセルフクリーニングする。山形に折曲加工している端子部３Ａは、山形の折曲加工部を傾動体４の長手方向を含む面内に位置させる。この端子部３Ａは、電源端子２１に押しつけられる状態で、図１４の矢印Ａで示すように、折曲面を含む面内に相対移動して、接触部をセルフクリーニングする。
【００３７】
以上の充電台は、装着部２に携帯機器２０が装着されない状態では、傾動体４の突出部７が装着部２に突出されて、傾動体４がスプリング線３の端子部３Ａをケース１内の引き込み位置とする。装着部２に携帯機器２０が装着されて、傾動体４の突出部７が押し込まれると、係止フック１２でセット位置に保持される。この状態で、一方の傾動体４と他方の傾動体４とが連結していることより、傾動体４が傾動して、スプリング線３の端子部３Ａを携帯機器２０の電源端子２１に接触するようにケース１の装着部２に突出させる。端子部３Ａが電源端子２１に接触する状態で、スプリング線３から携帯機器２０に電力が供給されて、携帯機器２０の電池が充電される。
【符号の説明】
【００３８】
１…ケース                １Ａ…上ケース
１Ｂ…下ケース
２…装着部                ２Ａ…背面
２Ｂ…底面
２Ｃ…側面
３…スプリング線          ３Ａ…端子部
３Ｂ…コイル部                              ３Ｃ…中間部
４…傾動体
５…端子窓
６…貫通孔
７…突出部
８…連結端
９…傾動軸
１０…連結凸部
１１…スリット
１２…係止フック          １２Ａ…引掛部
１３…押出バネ
１４…傾動スプリング      １４Ｂ…コイル部
１５…ガイド溝
１６…支持部              １６Ａ…支持リブ
１７…抜け留めリブ
１８…支持プレート        １８Ａ…水平プレート部
１８Ｂ…傾斜プレート部
１９…開口部              １９ａ…開口縁部
２０…携帯機器
２１…電源端子
２２…係止凹部
２３…構造体
３０…装着検知部
３１…ケース
３２…装着部
３３…スプリング線        ３３Ａ…出力端子部
３４…傾動体
３５…端子窓
３６…貫通孔
３７…突出部
４０…携帯機器
４１…電源端子
５１…ケース
５２…装着部
５３…スプリング線        ５３Ａ…出力端子部
５４…傾動体              ５４Ａ…押圧部
５５…端子窓
５６…貫通孔
５７…突出部
５８…回動アーム          ５８Ａ…水平部
５８Ｂ…垂直部
５８Ｃ…軸部
６０…携帯機器
６１…電源端子
【図１】
2010246288.tif 000003
【図２】
2010246288.tif 000004
【図３】
2010246288.tif 000005
【図４】
2010246288.tif 000006
【図５】
2010246288.tif 000007
【図６】
2010246288.tif 000008
【図７】
2010246288.tif 000009
【図８】
2010246288.tif 000010
【図９】
2010246288.tif 000011
【図１０】
2010246288.tif 000012
【図１１】
2010246288.tif 000013
【図１２】
2010246288.tif 000014
【図１３】
2010246288.tif 000015
【図１４】
2010246288.tif 000016